【手続補正書】
【提出日】平成26年10月7日(2014.10.7)
【手続補正１】
【補正対象書類名】特許請求の範囲
【補正対象項目名】全文
【補正方法】変更
【補正の内容】
【特許請求の範囲】
【請求項１】
基地局と少なくとも1つの中継局との間の通信リンクについて、第1の周波数サブバンドを割り当て、
前記基地局と第1群の1つ以上の移動局との間の通信リンクについて、第2の周波数サブバンドを割り当て、
前記少なくとも1つの中継局と第2群の1つ以上の移動局との間の通信リンクについて、第3の周波数サブバンドを割り当て、
前記少なくとも1つの中継局において、前記第1の周波数サブバンドにおいて信号を受信又は送信し、当該受信又は送信それぞれで、前記第3の周波数サブバンドにおいて信号を送信又は受信することとを同時に行うステップ
を有し、前記第1、第2及び第3の周波数サブバンドは、帯域幅を拡張するようにまとめられる重複していない複数の統合されるサブバンドである、方法。
【請求項２】
前記第1の周波数サブバンドを割り当てる際、ダウンリンク（DL）周波数バンドにおいて第1のDL周波数サブバンドを、アップリンク（UL）周波数バンドにおいて第1のUL周波数サブバンドを割り当て、
前記第2の周波数サブバンドを割り当てる際、前記DL周波数バンドにおいて第2のDL周波数サブバンドを、前記UL周波数バンドにおいて第2のUL周波数サブバンドを割り当て、
前記第3の周波数サブバンドを割り当てる際、前記DL周波数バンドにおいて第3のDL周波数サブバンドを、前記UL周波数バンドにおいて第3のUL周波数サブバンドを割り当てる、請求項1記載の方法。
【請求項３】
前記少なくとも1つの中継局で、前記第1のDL周波数サブバンドにおいて信号を受信すること、
前記少なくとも1つの中継局で、前記第3のDL周波数サブバンドにおいて信号を送信すること、
前記少なくとも1つの中継局で、前記第1のUL周波数サブバンドにおいて信号を送信すること、及び
前記少なくとも1つの中継局で、前記第3のUL周波数サブバンドにおいて信号を受信すること
の内一又はそれ以上を同じタイムスロットの中で同時に実行する、請求項2記載の方法。
【請求項４】
第1のタイムスロットのダウンリンク（DL）通信において、第1の周波数サブバンド、第2の周波数サブバンド及び第3の周波数サブバンドを周波数バンドの中で割り当て、
第2のタイムスロットのアップリンク（UL）通信において、第1の周波数サブバンド、第2の周波数サブバンド及び第3の周波数サブバンドを周波数バンドの中で割り当てる、請求項1記載の方法。
【請求項５】
前記少なくとも1つの中継局で、前記第1の周波数サブバンドにおいて信号を受信することと、前記第3の周波数サブバンドにおいて信号を送信することとを前記第1のタイムスロットの間に同時に行うこと、及び
前記少なくとも1つの中継局で、前記第1の周波数サブバンドにおいて信号を送信することと、前記第3の周波数サブバンドにおいて信号を受信することとを前記第2のタイムスロットの間に同時に行うことの内の一又はそれ以上を有する、請求項4記載の方法。
【請求項６】
前記第1の周波数サブバンドを割り当てる際、専用のサブバンドを割り当てるステップと、
前記第3の周波数サブバンドを割り当てる際、専用のサブバンドを割り当てるステップと、
前記第1及び第3の周波数サブバンドの少なくとも一方を、専用の第1又は第3の周波数サブバントとは異なるサブバンドにそれぞれ動的に割り当てるステップと、
前記第1、第2及び第3の周波数サブバンドの少なくとも1つのサブバンドのサイズを変更するステップと、
前記第1、第2及び第3のキャリアに含まれるキャリア数を変更するステップと、
前記中継局の送信及び受信の間の干渉を減らすように、送信電力分布を制御するステップとの内少なくとも一つをさらに有する請求項1記載の方法。
【請求項７】
前記送信電力分布を制御する前記ステップにおいて、低電力の広帯域信号よりも高電力の狭帯域信号を利用して前記第1又は第3の周波数サブバンドにより信号を送信する、請求項6記載の方法。
【請求項８】
前記第1、第2及び第3の周波数サブバンドの内の1つ以上は、第1、第2及び第3のキャリア周波数をそれぞれ含んでいる、請求項1記載の方法。
【請求項９】
前記第1、第2及び第3のキャリア周波数の内の1つ以上は、統合され拡張された帯域幅の中の不連続的なキャリア周波数である、請求項8記載の方法。
【請求項１０】
前記第1、第2及び第3の周波数サブバンドは、統合され拡張された帯域幅の中の連続的なサブバンドである、請求項1記載の方法。
【請求項１１】
前記第1、第2及び第3の周波数サブバンドの各々が、10MHzより広く、30MHzより狭い、請求項1記載の方法。
【請求項１２】
基地局と少なくとも1つの中継局との間の通信リンクについて、第1の周波数サブバンドを割り当てる手段と、
前記基地局と第1群の1つ以上の移動局との間の通信リンクについて、第2の周波数サブバンドを割り当てる手段と、
前記少なくとも1つの中継局と第2群の1つ以上の移動局との間の通信リンクについて、第3の周波数サブバンドを割り当てる手段と、
前記少なくとも1つの中継局において、前記第1の周波数サブバンドにおいて信号を受信又は送信し、当該受信又は送信それぞれで、前記第3の周波数サブバンドにおいて信号を送信又は受信することとを同時に行う手段と、
を備え、前記第1、第2及び第3の周波数サブバンドは、帯域幅を拡張するようにまとめられる重複していない複数の統合されるサブバンドである、装置。
【請求項１３】
前記第1の周波数サブバンドを割り当てる手段は、ダウンリンク（DL）周波数バンドにおいて第1のDL周波数サブバンドを、アップリンク（UL）周波数バンドにおいて第1のUL周波数サブバンドを割り当てる手段を有し、
前記第2の周波数サブバンドを割り当てる手段は、前記DL周波数バンドにおいて第2のDL周波数サブバンドを、前記UL周波数バンドにおいて第2のUL周波数サブバンドを割り当てる手段を有し、
前記第3の周波数サブバンドを割り当てる手段は、前記DL周波数バンドにおいて第3のDL周波数サブバンドを、前記UL周波数バンドにおいて第3のUL周波数サブバンドを割り当てる手段を有する、請求項12記載の装置。
【請求項１４】
前記少なくとも1つの中継局で、前記第1のDL周波数サブバンドにおいて信号を受信すること、
前記少なくとも1つの中継局で、前記第3のDL周波数サブバンドにおいて信号を送信すること、
前記少なくとも1つの中継局で、前記第1のUL周波数サブバンドにおいて信号を送信すること、及び
前記少なくとも1つの中継局で、前記第3のUL周波数サブバンドにおいて信号を受信すること
の内一又はそれ以上を同じタイムスロットの中で同時に実行する手段を備えた、請求項13記載の装置。
【請求項１５】
第1のタイムスロットのダウンリンク（DL）通信において、第1の周波数サブバンド、第2の周波数サブバンド及び第3の周波数サブバンドを周波数バンドの中で割り当てる手段と、
第2のタイムスロットのアップリンク（UL）通信において、第1の周波数サブバンド、第2の周波数サブバンド及び第3の周波数サブバンドを周波数バンドの中で割り当てる手段とを備えた、請求項12記載の装置。
【請求項１６】
前記少なくとも1つの中継局で、前記第1の周波数サブバンドにおいて信号を受信することと、前記第3の周波数サブバンドにおいて信号を送信することとを前記第1のタイムスロットの間に同時に行う手段と、及び
前記少なくとも1つの中継局で、前記第1の周波数サブバンドにおいて信号を送信することと、前記第3の周波数サブバンドにおいて信号を受信することとを前記第2のタイムスロットの間に同時に行う手段との内の一又はそれ以上を有する、請求項15記載の装置。
【請求項１７】
専用のサブバンドを割り当てることを有する前記第1の周波数サブバンドを割り当てる手段と、
専用のサブバンドを割り当てることを有する前記第3の周波数サブバンドを割り当てる手段と、
前記第1及び第3の周波数サブバンドの少なくとも一方を、専用の第1又は第3の周波数サブバントとは異なるサブバンドにそれぞれ動的に割り当てる手段と、
前記第1、第2及び第3の周波数サブバンドの少なくとも1つのサブバンドのサイズを変更する手段と、
前記第1、第2及び第3のキャリアに含まれるキャリア数を変更する手段と、
前記中継局の送信及び受信の間の干渉を減らすように、送信電力分布を制御する手段との内少なくとも一つを有する請求項12記載の装置。
【請求項１８】
前記送信電力分布を制御する手段は、低電力の広帯域信号よりも高電力の狭帯域信号を利用して前記第1又は第3の周波数サブバンドにより信号を送信する手段を有する、請求項17記載の装置。
【請求項１９】
前記第1、第2及び第3の周波数サブバンドの内の1つ以上は、第1、第2及び第3のキャリア周波数をそれぞれ含んでいる、請求項12記載の装置。
【請求項２０】
前記第1、第2及び第3のキャリア周波数の内の1つ以上は、統合され拡張された帯域幅の中の不連続的なキャリア周波数である、請求項19記載の装置。
【請求項２１】
前記第1、第2及び第3の周波数サブバンドは、統合され拡張された帯域幅の中の連続的なサブバンドである、請求項12記載の装置。
【請求項２２】
前記第1、第2及び第3の周波数サブバンドの各々が、10MHzより広く、30MHzより狭い、請求項12記載の装置。